(57)【特許請求の範囲】
【請求項１】
再生信号から、前記再生信号に含まれる音声データの再生チャンネル数を含む当該音声データの信号形式を示す第１の情報を検出する情報検出手段と、
前記情報検出手段により検出された前記第１の情報に基づいて、前記再生チャンネル数のそれぞれに応じたスピーカアンプの電源制御を行うとともに、前記第１の情報に対応する信号形式に応じて前記再生信号に対応する音声の低音域を強調または減衰する制御を行う電源制御手段と
を備える情報信号再生装置。
【請求項２】
請求項１に記載の情報信号再生装置であって、
前記再生信号から、前記再生信号が記録されていた記録媒体の種別を示す第２の情報を検出する媒体種別検出手段を備え、
前記電源制御手段は、前記媒体種別検出手段からの検出出力をも考慮して、前記再生チャンネル数のそれぞれに応じたスピーカアンプの電源制御を行う情報信号再生装置。
【請求項３】
請求項２に記載の情報信号再生装置であって、
前記電源制御手段は、使用されない前記再生チャンネルのスピーカアンプに対して電源を供給しないように制御する情報信号再生装置。
【発明の詳細な説明】
【０００１】
【発明の属する技術分野】
この発明は、例えば、各種の光ディスクなどの記録媒体に記録された音声データなどの情報信号を再生する情報信号再生装置に関する。
【０００２】
【従来の技術】
音楽などの音声データを提供する記録媒体として、ＣＤ−ＤＡ（Ｃｏｍｐａｃｔ  Ｄｉｓｃ  Ｄｉｇｉｔａｌ  Ａｕｄｉｏ）と呼ばれる音楽用の光ディスクが広く用いられている。このＣＤ−ＤＡには、比較的に忠実に原音を再生することが可能な、例えば、ＬＰＣＭ（Ｌｉｎｅａｒ  Ｐｕｌｓｅ  Ｃｏｄｅ  Ｍｏｄｕｌａｔｉｏｎ）方式で符号化された音声データが記録されてエンドユーザに提供されている。また、近年においては、ＤＴＳ（Ｄｉｇｉｔａｌ  Ｔｈｅａｔｅｒ  Ｓｙｓｔｅｍｓ）方式と呼ばれるデータ格納形式により音声データが記録されたＣＤ−ＤＡも提供されるようになってきている。
【０００３】
このＤＴＳ方式は、例えば、左右に１つづつのフロントスピーカと、センタースピーカと、左右に１つずつのリアスピーカとからなる５つのサテライトスピーカと、１つのサブウーハーとの５．１チャンネルと呼ばれる６つのスピーカを用いて、臨場感のある再生音場を形成するように音声の再生を行うための方式である。そして、このＤＴＳ方式で記録された音声データの再生が可能なＣＤプレーヤやスピーカからなるＤＴＳ方式に対応したホームオーディオシステムも提供されるようになってきている。なお、ＤＴＳは、米国Ｄｉｇｉｔａｌ  Ｔｈｅａｔｅｒ  Ｓｙｓｔｅｍｓ社の登録商標である。
【０００４】
また、音楽などの音声データともに、比較的に長時間にわたる映像データをも含む、例えば、映画などのデジタルコンテンツを提供する記録媒体として、ＤＶＤ（Ｄｉｇｉｔａｌ  Ｖｉｄｅｏ  Ｄｉｓｃ／Ｄｉｇｉｔａｌ  Ｖｅｒｓａｔｉｌｅ  Ｄｉｓｃ）と呼ばれる光ディスクが用いられるようになってきている。
【０００５】
このＤＶＤに音楽情報を記録して提供することも可能であり、前述したＣＤの場合と同様に、比較的に忠実に原音を再生することが可能な例えばＬＰＣＭ方式で符号化された音楽などの音声データが記録されたＤＶＤをＤＶＤ−Ａｕｄｉｏと呼び、音声データとともに、映画などの比較的に長時間分の映像データを記録したＤＶＤをＤＶＤ−Ｖｉｄｅｏと呼んでいる。
【０００６】
そして、ＤＶＤ−Ｖｉｄｅｏの場合には、映像データは、例えば、ＭＰＥＧ（Ｍｏｔｉｏｎ  Ｐｉｃｔｕｒｅ  Ｅｘｐｅｒｔ  Ｇｒｏｕｐ）方式でデータ圧縮して記録する。また、音楽、効果音、会話などの音声データは、記憶エリアの有効利用、あるいは、臨場感のある再生音場の形成を目的として、ＡＣ−３（Ａｕｄｉｏ  Ｃｏｄｅ  ｎｕｍｂｅｒ  ３）方式でデータ圧縮して記録したり、前述したＤＴＳ方式で記録するようにしている。
【０００７】
【発明が解決しようとする課題】
ところが、例えば、ＤＴＳ方式に対応したホームオーディオシステムを用いて、ＣＤ−ＤＡに記録されたＬＰＣＭ方式で符号化された２チャンネルステレオの音声データ（２チャンネルステレオソース）を再生する場合などにおいて、不都合が発生する場合がある。
【０００８】
例えば、ＤＴＳ方式に対応したホームオーディオシステムを用いて、２チャンネルステレオソースの音声データを再生する上述の例の場合であって、２チャネルステレオソースの音声データを前述の５．１チャネルと呼ばれる５つのサテライトスピーカと１つのサブウーハーに振り分けて再生するようにした場合には、再生音声の低音が強調され過ぎて違和感のあるものになってしまう場合がある。この場合には、使用者（ユーザ）は、ホームオーディオシステムのイコライザを調整することになるが、良好な再生音声を得るために手間がかかってしまう。
【０００９】
また、ＤＴＳ方式に対応したホームオーディオシステムを用いて、２チャンネルステレオソースの音声データを再生する上述の例の場合であって、２チャネルステレオソースの音声データを、前述の５．１チャネルと呼ばれる５つのサテライトスピーカと１つのサブウーハーのうち、左右に１つづつのフロントスピーカのみを用いて再生するようにした場合には、音声データが供給されないセンタースピーカ、左右に１つづつのリアスピーカ、サブウーハーから若干のノイズが放音される場合があり、良好な再生音場を提供できない場合があると考えられる。この場合には、使用されないスピーカのボリュームを絞るなどの調整が必要であり、使用者に取っては面倒である。
【００１０】
このことは、ＤＴＳ方式に対応したＤＶＤプレーヤを備えるホームＡＶ（オーディオ・ビジュアル）システムにおいても起こり得る。つまり、ＤＴＳ方式以外の方式で音声データが記録されたＤＶＤの場合には、ＤＴＳ方式に対応したホームＡＶシステムにおいては、良好な再生音場を形成できない場合がある。
【００１１】
また、ＣＤとＤＶＤとは、ともに光ディスクであり、プレーヤの再生機構や再生信号の伝達経路は共通に使用できる。このため、ＣＤに記録されている情報信号の再生も可能であり、かつ、ＤＶＤに記録されている情報信号の再生も可能ないわゆるマルチコンバーチブルプレーヤを形成することも可能である。
【００１２】
しかしながら、ＣＤ−ＤＡに記録される音楽情報と、ＤＶＤ−Ｖｉｄｅｏに記録される音声データとでは、制作意図などが異なる。このため、マルチコンバーチブルプレーヤを用いて、ＣＤ−ＤＡやＤＶＤ−Ｖｉｄｅｏから音声データを再生する場合には、ＣＤ−ＤＡに記録されている音声データを再生する場合と、ＤＶＤ−Ｖｉｄｅｏに記録されている音声データを再生する場合とでは、音量レベルなどの調整が必要になる。
【００１３】
つまり、ＣＤ−ＤＡには、主に聴取用（観賞用）の音楽情報が記録されるが、ＣＤ−ＤＡに記録された音楽情報を良好に再生されるために、音声データの平均レベルを比較的に高くしてＣＤ−ＤＡに記録していることが多い。これに対して、ＤＶＤ−Ｖｉｄｅｏには、映画などの音声データと映像データとからなるコンテンツが記録されることが多い。この場合の音声データは、映像データにともなう音声データであり、いわゆる効果音として作成されている場合が多く、その平均レベルは、比較的に低くされていることが多い。
【００１４】
このため、マルチコンバーチブルプレーヤを用いて、ＣＤ−ＤＡに記録されている音声データを再生して聴取した後に、ＤＶＤ−Ｖｉｄｅｏに記録されている映画の音声データと映像データとを再生して視聴するようにした場合には、音量レベルが小さすぎて、使用者が音量レベルを上げるようにする操作をしなければならない。
【００１５】
この逆に、マルチコンバーチブルプレーヤを用いて、ＤＶＤ−Ｖｉｄｅｏに記録されている映画の音声データと映像データとを再生して視聴した後に、ＣＤ−ＤＡに記録されている音声データを再生して聴取するようにした場合には、音量レベルが大きすぎて、使用者が音量レベルを下げるようにする操作をしなければならない。
【００１６】
このように、ＣＤプレーヤ、ＤＶＤプレーヤ、あるいは、ＣＤに記録されている情報と、ＤＶＤに記録されている情報との再生が可能な、マルチコンバーチブルプレーヤを利用する場合には、音声データの信号形式や、再生する音声データが記録されている記録媒体の種類に応じて、使用者自身が自己の最も好む再生音場を形成するように、イコライザや音量ボリュームなどの調整操作を行わなければならない。
【００１７】
このため、常に自分の好みに応じた再生音場を形成しようとすれば、再生音声についての各種の調整が必要になり、非常に時間がかかることになる。また、調整が旨くいかずに、結果的に自己の好みに合った最適な環境ができなくなる可能性がある。
【００１８】
以上のことにかんがみ、この発明は、再生しようとする音声データなどの信号形式や記録媒体などの違いに左右されることなく、かつ、使用者の手を煩わせることなく良好な再生環境を形成することができ、かつ、使いやすい再生システムを構築することができる情報信号再生装置を提供することを目的とする。
【００１９】
【課題を解決するための手段】
上記課題を解決するため、請求項１に記載の発明の情報信号再生装置は、
再生信号から、前記再生信号に含まれる音声データの再生チャンネル数を含む当該音声データの信号形式を示す第１の情報を検出する情報検出手段と、
前記情報検出手段により検出された前記第１の情報に基づいて、前記再生チャンネル数のそれぞれに応じたスピーカアンプの電源制御を行うとともに、前記第１の情報に対応する信号形式に応じて前記再生信号に対応する音声の低音域を強調または減衰する制御を行う電源制御手段と
を備える。
【００４１】
この請求項１に記載の発明の情報信号出力装置によれば、再生しようとする音声データの再生チャンネル数を含む当該音声データの信号形式を示す第１の情報が情報検出手段により検出され、この第１の情報の再生チャンネル数に応じて、使用されるスピーカに対応するスピーカアンプにしか電源を供給しないようにされる。
【００４２】
これにより、音声データが供給されないスピーカからノイズなどを放音させてしまうことを防止し、再生音場のＳ／Ｎを悪化させることなく、音声データの良好な再生環境を整えることができる。
【００４５】
これにより、映像データの有無に応じて、映像表示装置の電源のオン／オフを自動的に制御できるので、使用者の手を煩わせることなく音声データや映像データの最適な再生環境を整えることができる。
【００４６】
【発明の実施の形態】
以下、図を参照しながら、この発明による情報信号再生装置の一実施の形態について説明する。以下に説明する実施の形態においては、この発明による情報信号出力装置を、光ディスクの再生装置であって、音楽用ＣＤ（ＣＤ−ＤＡ）と、映像用ＤＶＤ（ＤＶＤ−Ｖｉｄｅｏ）と、音声用ＤＶＤ（ＤＶＤ−Ａｕｄｉｏ）との再生が可能ないわゆるマルチコンバーチブルプレーヤに適用した場合を例にして説明する。
【００４７】
図１は、この発明による情報信号再生装置が適用された光ディスクの再生装置（映像音声再生装置）１０を説明するためのブロック図であり、図２は、この実施の形態の再生装置１０を用いて構成されるホームシアターシステムの構成例を説明するための図である。
【００４８】
この実施の形態の再生装置１０は、ＤＴＳ方式で作成された音声データの再生も、その方式に応じて行うことができるものであり、図１、図２に示すように、左フロントスピーカ２０Ｌ、右フロントスピーカ２０Ｒ、センタースピーカ２０Ｃ、左リアスピーカ２０ＬＳ、右リアスピーカ２０ＲＳ、サブウーハースピーカ２０ＬＦＥからなる５つのサテライトスピーカ、１つのサブウーハー（低音専用スピーカ）からなるいわゆる５．１チャネルマルチサラウンドシステムに対応したものである。
【００４９】
そして、この６つのスピーカを図２に示すように、視聴者の視聴位置を示す椅子の位置を囲むように配置する。この図２の場合には、フロントスピーカ２０Ｌ、２０Ｒはテレビ受像機やモニタ受像機などの映像出力装置３０を挟んで設置され、センタースピーカ２０Ｃは、映像出力装置３０の上に設置され、サブウーハー２０ＬＦＥは、映像出力装置３０の左横に設置されている。
【００５０】
また、左右のリアスピーカは、視聴者の視聴位置を示す椅子のやや後方であって、視聴者の位置を挟むように、左右の壁面に設置されている。このように各スピーカを配置し、この実施の形態の再生装置１０により、ＤＶＤ−Ｖｉｄｅｏに記録された映画のコンテンツであって、音声データが前述したＤＴＳ方式で形成されたものを再生すると、劇場において映画を視聴しているときと同様に、低音が強調された、臨場感のある再生音場（音声の聴取環境）を形成することができるようにされている。
【００５１】
次に、この実施の形態の再生装置１０について詳細に説明する。図１において、ディスク１００は、上述のように、ＣＤ−ＤＡ、ＤＶＤ−Ｖｉｄｅｏ、ＤＶＤ−Ａｕｄｉｏといった光ディスクである。ＣＤ−ＤＡは、ＬＰＣＭ方式で符号化された音楽などの音声データ、落語、朗読、会話などの音声データ、あるいは、ＤＴＳ方式で形成された音楽などの音声データが記録されたものである。
【００５２】
また、ＤＶＤ−Ａｕｄｉｏは、種々の符号化方式で符号化された主に音楽の音声データが記録されたものであり、また、ＤＶＤ−Ｖｉｄｅｏは、ＭＰＥＧ方式でデータ圧縮された映像データと、これに付随する音声データであって、ＡＣ−３方式、ＭＰＥＧ−Ａｕｄｉｏ方式でデータ圧縮された音声データやＤＴＳ方式で形成された音声データが記録されたものである。
【００５３】
そして、図１に示すように、この実施の形態の再生装置１０は、光ディスク１００を回転駆動させるスピンドルモータ１０１と、光ディスク１００にレーザビームを照射し、光ディスク１００からの反射光を受光することにより、光ディスク１００に記録されているデータを読み出す光ピックアップ部１０２と、光ピックアップ部１０２を光ディスク１００の半径方向に移動させるためのスレッドモータ１０３とを備えている。
【００５４】
光ピックアップ部１０２は、レーザ光源、対物レンズ、例えば４分割フォトディテクタなどの光学系の他、光ディスクに直交する方向および光ディスクの半径方向に光ピックアップ部２の位置を調整する２軸アクチュエータなどの機構をも備えたものである。
【００５５】
そして、スピンドルモータ１０１により回転駆動される光ディスク１００に対して、光ピックアップ部１０２は、レーザビームを照射し、光ディスク１００に形成されたピットに応じて変化する光ディスク１００からの反射光をフォトディテクタにより受光して、電子信号に変換し、これをＲＦＥＱ（ＲＦイコライザ）アンプ１０５に供給する。
【００５６】
ＲＦＥＱアンプ１０５は、これに供給された電気信号に対してイコライジング処理を行い、イコライジング処理後の電気信号をＲＦ信号処理回路１０６に供給する。ＲＦ信号処理回路１０６は、ＲＦＥＱアンプ１０５からの電気信号に基づいて、再生ＲＦ信号（２値のデジタル信号）や、フォーカスエラー信号、トラッキングエラー信号などのサーボエラー信号を形成する。
【００５７】
また、ＲＦ信号処理回路１０６は、例えば、複製制御情報や媒体種別や再生ＲＦ信号の信号形式などの情報が、例えば、電子透かし情報（電子ウォターマーク）などとして映像データや音声データに重畳されている場合には、形成した再生ＲＦ信号からそれらの情報を抽出する。
【００５８】
そして、ＲＦ処理回路１０６は、形成した再生ＲＦ信号を映像・音声デコード部１０７に供給するとともに、フォーカスエラー信号、トラッキングエラー信号などのサーボエラー信号をサーボ回路１１５に供給する。また、ＲＦ処理回路１０６は、再生ＲＦ信号に例えば電子透かし情報として重畳されている制御情報などを抽出したときには、その抽出した情報をシステムコントロール部１１４に供給する。
【００５９】
サーボ回路１１５は、ＲＦ信号処理回路１０６からの各種サーボエラー信号、および、システムコントロール部１１４からの制御信号の供給を受けて、フォーカスサーボ信号やトラッキングエラー信号を形成し、これを光ピックアップ部１０２に供給する。これにより、フォーカスサーボ、トラッキングサーボが掛けられる。
【００６０】
また、サーボ回路１１５は、これに供給されたサーボエラー信号やシステムコントロール部１１４からの制御信号に基づいて、回転サーボ信号を形成し、これをモータドライバ１０４に供給する。
【００６１】
モータドライバ１０４は、サーボ回路１１５からのスピンドルモータ１０１についての回転サーボ信号に基づいて、スピンドルモータ１０１に供給するドライブ信号を形成し、これをスピンドルモータ１０１に供給する。また、モータドライバ１０４は、サーボ回路１１５からのスレッドモータ１０３についての回転サーボ信号に基づいて、スレッドモータ１０３に供給するドライブ信号を形成し、これをスレッドモータ１０３に供給する。これにより、スピンドルモータ１０１、スレッドモータ１０３の回転サーボが掛けられる。
【００６２】
このようにして、フォーカスサーボ、トラッキングサーボ、回転サーボが掛けられて、光ディスク１００が適正な速度で回転するようにされるとともに、光ピックアップ部１０２から出射されたレーザビームが適正な大きさのスポットで、目的トラックを正確に走査し、光ディスク１００に記録されているデータが正しく読み出される。
【００６３】
一方、映像・音声デコード部１０７は、ＲＦ信号処理回路１０６からの２値のデジタル信号である再生ＲＦ信号をデコードする。この映像・音声デコード部１０７には、図１に示すように、例えばデコード時の作業領域として用いられるＤ−ＲＡＭ（Ｄｙｎａｍｉｃ  Ｒａｎｄｏｍ  Ａｃｃｅｓｓ  Ｍｅｍｏｒｙ）１０８が接続されている。そして、後述もするように、映像・音声デコード部１０７は、デコード処理した音声データを、音声信号は音声信号処理部１０９に供給し、デコード処理した映像データを、映像用Ｄ／Ａ変換回路１１３に供給する。
【００６４】
また、映像・音声デコード部１０７は、媒体種別や、音声信号の符号化方式、再生チャンネル数、サンプリング周波数などの音声信号の信号形式が記録されている光ディスク１００の所定のエリアからの再生ＲＦ信号をデコードした情報（以下、デコード情報という。）をシステムコントロール部１１４に供給する。
【００６５】
媒体種別や信号形式などが記録された光ディスクの所定のエリアは、光ディスクのリードインエリア、光ディスクの所定の位置に設けられているＴＯＣ（Ｔａｂｌｅ  Ｏｆ  Ｃｏｎｔｅｎｔｓ）やディレクトリのエリア、あるいは、データフィールドの前後などに設けられるシンクワード（同期用情報）のエリアなどである。
【００６６】
システムコントロール部１１４は、ＣＰＵ、ＲＯＭ、ＲＡＭ、ＥＥＰＲＯＭなどを備えたマイクロコンピュータであり、ＲＦ信号処理回路１０６により抽出された情報、および、映像・音声デコード部１０７からのデコード情報に基づいて、この再生装置１０に装填された光ディスク１００の媒体種別を判別するとともに、光ディスク１００は、音声データだけが記録されたものか、映像データと音声データが記録されたものか、さらには、光ディスク１００に記録されている音声データの符号化形式、再生チャネル数、サンプリング周波数を判別する。
【００６７】
媒体種別は、この実施の形態の再生装置１０に装填された光ディスク１００が、ＣＤかＤＶＤかを示すものである。また、符号化形式は、この実施の形態においては、光ディスク１００に記録されている音声データが、ＬＰＣＭ方式、ＡＣ−３方式、ＭＰＥＧオーディオ方式、ＤＴＳ方式のいずれの方式により符号化され記録されたものかを示すものである。
【００６８】
また、再生チャネル数は、モノラルか、２チャネルスレテオか、５．１チャネルマルチサラウンドかなどをしめすものである。また、サンプリング周波数は、ＬＰＣＭ方式でデータ圧縮された音声データの場合にそのサンプリング周波数を示すものである。
【００６９】
また、この実施の形態に再生装置１００においては、前述したように、音声データだけが記録されたものか、映像データと音声データが記録されたものかをも判別することができるようにされている。また、この実施の形態においては、ＤＴＳ方式で作成された音声データの場合には、再生チャネル数は、５．１チャネルマルチサラウンドである。
【００７０】
なお、光ディスク１００に記録されている映像データや音声データに制御情報などが例えば電子透かし情報などとして重畳されていない場合には、媒体種別、音声データの符号化形式、再生チャネル数、サンプリング周波数などの判別は、映像・音声デコード部１０７からのデコード情報のみによって判別される。
【００７１】
そして、システムコントロール部１１４は、上述のような解析結果に応じて、主情報である映像データや音声データのデコード処理を制御する制御信号を形成し、これを映像・音声デコード部１０７に供給する。この制御信号は、映像データと音声データ、あるいは、音声データのみを、どのような方式でデコードするかを制御する情報である。
【００７２】
また、システムコントロール部１１４は、上述のような解析結果をインターフェースコントロール部１１６にも通知する。この実施の形態において、インターフェースコントロール部１１６は、ＣＰＵ、ＲＯＭ、ＲＡＭ、ＥＥＰＲＯＭなどを備えたマイクロコンピュータであり、後述する操作キー部１１７や動作表示部１１８やメモリスロット１１９を制御すると共に、システムコントロール部１１４からの解析結果に基づいて、音声信号処理部、音声用Ｄ／Ａ変換部１１０、音声ボリューム（図１においては、音声ＶＯＬと記載。）、スピーカアンプ（パワーアンプ）１１２からなる音声系を制御する。
【００７３】
すなわち、この実施の形態の再生装置１０においては、インターフェースコントロール部１１６が、音声系を制御し、システムコントロール部１１４が、音声系以外の各部を制御することによって、制御の負荷を分散し、迅速かつ正確なデータ処理を実現している。
【００７４】
また、インターフェースコントロール部１１６は、システムコントロール部１１４からの解析結果のうち、媒体種別などのユーザに通知する必要がある情報の表示情報を形成し、これをＬＣＤ（液晶ディスプレイ）などにより構成される動作表示部１１８に供給することによって、この実施の形態の再生装置１０に装填された光ディスクの媒体種別などを動作表示部１１８に表示し、ユーザに通知するようにしている。
【００７５】
そして、映像・音声デコード部１０７は、システムコントロール部１１４からの制御信号に応じて、前述したように、ＲＦ信号処理回路１１６から再生ＲＦ信号（２値のデジタル信号）として供給される映像データと音声データ、あるいは、音声データのみを、その符号化方式に応じてデコードする。
【００７６】
例えば、再生ＲＦ信号が、映像データと音声データとを混在させて同じ方式でデータ圧縮したものである場合には、映像・音声デコード部１０７は、このデータ圧縮された映像データと音声データとが混在する再生ＲＦ信号をデコードして伸長し、映像データと音声データとを分離する。そして、伸長した音声データを音声信号処理部１１９に供給するとともに、伸長した映像データを映像用Ｄ／Ａ変換回路１１３に供給する。
【００７７】
また、再生ＲＦ信号が、映像データと音声データを含み、そのそれぞれが異なる符号化方式で符号化されている場合には、映像・音声デコード部１０７は、映像データと音声データとを分離する。そして、音声データを圧縮された状態のまま音声信号処理部１０９に供給するとともに、映像データについては、デコードして伸長し、伸長した映像データを映像用Ｄ／Ａ変換回路１１３に供給する。
【００７８】
また、再生ＲＦ信号が、ＣＤ−ＤＡやＤＶＤ−Ａｕｄｉｏからのものものであり、映像データを含まない音声データのみの場合には、映像・音声デコード部１０７は、音声データに対し必要なデコード処理を行って、音声信号処理部１０９に供給する。
【００７９】
そして、音声信号処理部１０９は、供給された音声データがデータ圧縮されているなど符号化されたままのものである場合には、インターフェースコントロール部１１６からの制御に応じて、音声データをデコードし、音声データを元の音声データに復元する。
【００８０】
また、音声データが、例えばＤＴＳ方式で光ディスク１００に記録されていたものである場合など、複数の再生チャネルを有するものである場合には、音声信号処理部１０９は、各再生チャネルごとの音声データに分離する。また、出力する音声データに対して、フィルタリング処理や遅延処理などをデジタル的に演算し、音声データの周波数特性やレベルなどを調整して、音声データに目的とする効果を付加することができるものである。
【００８１】
このようにして、音声信号処理部１０９においてデコードされ、複数の再生チャネルを有する音声データの場合には、各再生チャネルに分離された各再生チャネルごとの音声データが、音声用Ｄ／Ａ回路１１０に供給される。音声用Ｄ／Ａ回路１１０は、これに供給された音声データをデジタル信号からアナログ信号に変換し、このアナログ音声信号を対応する再生チャネルのスピーカアンプ１１２Ｌ、１１２Ｃ、１１２Ｒ、１１２ＬＳ、１１２ＲＳ、１１２ＬＥＦに供給する。
【００８２】
各スピーカアンプは、これに供給されたアナログ音声信号を増幅し、対応するスピーカ２０Ｌ、２０Ｃ、２０Ｒ、２０ＬＳ、２０ＲＳ、２０ＬＥＦに供給し、これらの各スピーカを駆動する。これにより、光ディスク１００に記録されていた音声データに応じた音声が各スピーカから放音される。
【００８３】
また、前述したように、映像・音声デコード部１０７においてデコードされ、映像用Ｄ／Ａ変換回路１１３に供給された映像データは、ここでデジタル信号からアナログ信号に供給され、テレビ受像機などの映像出力装置３０に供給される。これにより、光ディスク１００に記録された映像データに応じた再生映像が、映像出力装置３０の表示画面に表示される。
【００８４】
なお、この実施の形態の再生装置１０は、光ディスクだけでなく、メモリスティックなどと呼ばれる外部半導体メモリ１２０の装填口であるメモリスロット１１９を備えている。そして、デジタルスチルカメラやデジタルビデオカメラにより映像データや音声データが記録された外部半導体メモリ１２０や、録音機器により音声データが記録された外部半導体メモリ１２０を、メモリスロットに装填（装着）することにより、外部半導体メモリ１２０に記録された映像データや音声データを再生することができるように構成されている。
【００８５】
メモリスロット１１９に装填された外部半導体メモリ１２０に記録されている映像データや音声データは、インターフェースコントロール部１１６がメモリスロット１１９を通じて読み出す。そして、この実施の形態においては、音声データは、インターフェースコントロール部１１６から音声信号処理部１０９に供給されて、再生するようにされ、映像データは、インターフェースコントロール部１１６から映像・音声デコード部１０４、映像用Ａ／Ｄ変換部１１３を通じて再生するようにされる。
【００８６】
また、この実施の形態の再生装置１０は、操作キー部１１７を通じて、この再生装置１０の使用者（ユーザ）からの指示入力を受け付けて、その指示入力に応じた処理を行ったり、指示入力に応じたパラメータをインターフェースコントロール部１１６、あるいは、システムコントロール部１１４の不揮発性のメモリであるＥＥＰＲＯＭに設定するなどのことができるようにされている。
【００８７】
このように、この実施の形態の再生装置１０は、ＣＤ−ＤＡやＤＶＤ−Ｖｉｄｅｏ、ＤＶＤ−Ａｕｄｉｏ、あるいは、外部半導体メモリなどの異なる記録媒体に、種々の信号形式で記録された音声データや映像データを再生することができるものである。
【００８８】
そして、どのような記録媒体からの音声データであっても、また、どのような信号形式の音声データであっても再生装置１０を最大音声レベルが等しくなるように調整していても、前述もしたように、ＣＤ−ＤＡに平均音声レベルが比較的に高く記録された音楽などの音声データと、ＤＶＤ−Ｖｉｄｅｏに記録された映画の音声などの比較的に平均音声レベルが低く記録された音声データとを交互に再生するような場合には、その都度、音量レベルの手動調整を行うことが必要になることがある。
【００８９】
すなわち、記録媒体に記録された音声データの制作意図や作成環境などの違いにより、今まで再生していた音声データと、異なる記録媒体に記録されている音声データを再生するようにしたり、異なる信号形式の音声データを再生するようにした場合には、再生音声を良好に聴取するために再生音声について調整を使用者が一々手動で行わなければならない場合が発生する。
【００９０】
そこで、この実施の形態の再生装置１０においては、媒体種別や音声データの信号形式から、その音声データの種類を推測し、その種類に応じて音声データの出力制御などを行うことにより、使用者による再生音声についての手動調整を行わなくても、再生音声を良好に聴取することができるようにしている。
【００９１】
［音声データの種類の推測、および、音声データの出力制御について］
以下、この実施の形態の再生装置１０において行われる音声データの種類の推測、および、推測結果に基づく音声データの出力制御について説明する。図３は、この実施の形態の再生装置において行われる音声データの種類の推測、および、推測結果に基づく音声データの出力制御について説明するためのフローチャートである。
【００９２】
この図３に示す処理は、この実施の形態においては、光ディスクや外部半導体メモリをこの実施の形態の再生装置１０に装填した場合にシステムコントロール部１１４、インターフェースコントロール部１１６により行われる。すなわち、この再生装置１０に光ディスク１００が装填されると、再生装置１０は、装填された光ディスクを回転駆動し、光ピックアップ部１０２からレーザビームを照射することによって、光ディスク１００に記録されている必要なデータを読み出す前処理を行う。
【００９３】
すなわち、再生装置１０は、光ディスク１００が装填されると、前述もしたように、その光ディスク１００のＴＯＣ、ディレクトリ、リードインエリア、データフィールドの前後などに設けられるシンクワードなど、予め決められた位置に記録されている媒体種別や信号形式を示すデータの読み出しを行う。
【００９４】
読み出されたデータ（電気信号）は、前述したように、ＲＦＥＱアンプ１０５を通じて、ＲＦ信号処理回路１０６に供給され、ここで再生ＲＦ信号に変換されて、映像・音声デコード部１０７に供給される。このとき、ＲＦ信号処理回路１０５において、再生ＲＦ信号に重畳されている情報が抽出され、この抽出された情報は、システムコントロール部１１４に供給される。また、映像・音声デコード部１０７は、光ディスクのＴＯＣやディテクトリなどの所定エリアからの再生ＲＦ信号をデコードし、このデコードした情報（デコード情報）をシステムコントロール部１１４に供給する。
【００９５】
そして、システムコントロール部１１４は、上述のように、ＲＦ信号処理回路１０６において抽出された情報や、映像・音声デコード部１０７からのデコード情報に基づいて、再生しようとしている音声データや画像データの供給元の記録媒体である光ディスク１００は、ＣＤか、ＤＶＤかを判別する（ステップＳ１０１）。
【００９６】
また、この実施の形態の再生装置１０においては、外部半導体メモリ１２０が、メモリスロット１１９に装填され、外部半導体メモリ１２０からのデータの再生がキー操作部１１７を通じて指示されたときには、インターフェースコントロール部１１６が、再生しようとしている音声データや画像データの供給元の記録媒体は、外部半導体メモリ１２０であると判別し、これをシステムコントロール部１１４に通知する（ステップＳ１０１）。
【００９７】
そして、システムコントロール部１１４は、ステップＳ１０１の判別結果に基づいて、再生する音声データや画像データの供給源である記録媒体は、ＤＶＤか否かを判断する（ステップＳ１０２）。ステップＳ１０２の判断処理において、記録媒体はＤＶＤであると判断した場合には、システムコントロール部１１４は、ＤＶＤの場合の音声データの出力制御ルーチンを実行し（ステップＳ１０３）、この図３に示す処理を終了する。
【００９８】
また、ステップＳ１０２の判断処理において、記録媒体がＤＶＤではないと判断したときには、システムコントロール部１１４は、記録媒体はＣＤか否かを判断する（ステップＳ１０４）。ステップＳ１０４の判断処理において、記録媒体はＣＤであると判断した場合には、システムコントロール部１１４は、ＣＤの場合の音声データの出力制御ルーチンを実行し（ステップＳ１０５）、この図３に示す処理を終了する。
【００９９】
また、ステップＳ１０４の判断処理において、記録媒体がＣＤではないと判断したときには、システムコントロール部１１４は、その他の場合の制御ルーチンを実行し（ステップＳ１０６）、この図３に示すよりを終了する。すなわち、この実施の形態においては、ステップＳ１０６においては、外部半導体メモリの場合の音声データの出力制御ルーチンが実行されることになる。
【０１００】
［ＤＶＤの場合の出力制御処理について］
図４は、図３に示したフローチャートにおいて、ステップＳ１０３において実行される処理である。すなわち、システムコントロール部１１４は、再生しようとしている音声データが記録されている記録媒体がＤＶＤであると判別した場合に、この図４に示す処理を実行する。
【０１０１】
そして、まず、システムコントロール部１１４は、前述したように、ＲＦ信号処理回路１０６からの情報、および、映像・音声デコード部１０７からのデコード情報に基づいて、再生しようとしている音声データの信号形式を判別する（ステップＳ２０１）。このステップＳ２０１の処理においては、再生しようとしている音声データの符号化方式を判別する。
【０１０２】
そして、システムコントロール部１１４は、ステップＳ２０１の判断処理に基づいて、再生しようとしている音声データの符号化形式が、ＡＣ−３方式か、あるいは、ＤＴＳ方式かを判断する（ステップＳ２０２）。ステップＳ２０２の判断処理において、再生しようとしている音声データの符号化形式が、ＡＣ−３方式またはＤＴＳ方式であると判別した場合には、再生しようとしている音声データは、映画音声であると推測する（ステップＳ２０３）。
【０１０３】
すなわち、ＤＶＤにより提供されるデジタルコンテンツのうち、音声データの符号化方式が、ＡＣ−３方式またはＤＴＳ方式である場合には、そのデジタルコンテンツは、映画のデジタルコンテンツであることが圧倒的に多い。この経験的な事実に基づいて、記録媒体がＤＶＤであり、そのＤＶＤに記録されている音声データの符号化方式が、ＡＣ−３方式またはＤＴＳ方式である場合には、この実施の形態の再生装置１０は、そのＤＶＤに記録されている音声データは、映画音声であると推測する。
【０１０４】
そして、システムコントロール部１１４は、ＲＦ信号処理回路１０６からの情報、および、映像・音声デコード部１０７からのデコード情報に基づいて、再生しようとしている音声データの再生チャンネル数を判別する（ステップＳ２０４）。
【０１０５】
この後、システムコントロール部１１４からの媒体種別や信号形式の判別結果に応じた指示情報の供給を受けるインターフェースコントロール部１１６の制御により、再生チャンネル数に応じた各スピーカに対応するスピーカアンプ制御（ステップＳ２０５）、音声信号処理回路１０９による低音域強調処理（ステップＳ２０６）、音声ボリューム１１１による音量レベルアップ処理（ステップＳ２０７）が行われる。
【０１０６】
以下に、ステップＳ２０５からステップＳ２０７の各処理について説明する。まず、ステップＳ２０５において行われる再生チャンネルに応じたスピーカアンプ制御について説明する。図５は、この実施の形態の再生装置１０のスピーカアンプ部１１２を説明するための図である。図５に示すように、各スピーカに対応してスピーカアンプ１１２Ｌ、１１２Ｃ、１１２Ｒ、１１２ＬＳ、１１２ＲＳ、１１２ＬＥＦが設けられている。
【０１０７】
また、図５に示すように、各スピーカアンプに対応して、電源の供給を制御するための電源スイッチＳ１Ｌ、Ｓ１Ｃ、Ｓ１Ｒ、Ｓ１ＬＳ、Ｓ１ＲＳ、Ｓ１ＬＦＥが設けられているとともに、音声信号のミュートを行うためのミュートスイッチＳ２Ｌ、Ｓ２Ｃ、Ｓ２Ｒ、Ｓ２ＬＳ、Ｓ２ＲＳ、Ｓ２ＬＦＥが設けられている。
【０１０８】
そして、再生チャンネル数が２チャンネルステレオの場合には、インターフェースコントロール部１１６からの制御により、電源スイッチＳ１Ｌ、Ｓ１Ｒのみをオン状態にし、他の電源スイッチをオフにする。この場合には、各ミュートスイッチは、オフ状態（ミュートしない状態）のままでよい。あるいは、ミュートスイッチＳ２Ｌ、Ｓ２Ｒのみをオフ状態（ミュートしない状態）にし、他のミュートスイッチをオン状態（ミュートする状態）にする。この場合には、各電源スイッチは、オン状態のままでよい。
【０１０９】
もちろん、動作させるスピーカアンプの電源スイッチをオン状態にするとともに、この動作させるスピーカアンプのミュートスイッチをオフ状態にし、また、動作させないスピーカアンプの電源スイッチをオフ状態にするとともに、この動作させないスピーカアンプのミュートスイッチをオン状態にするというように、対応する電源スイッチとミュートスイッチとの両方を制御するようにしてもよい。
【０１１０】
また、再生チャンネル数が５．１マルチサラウンドであったり、音声データの信号形式が、ＤＴＳ方式である場合には、図５に示した各電源スイッチをオン状態にするとともに、各ミュートスイッチをオフ状態にする。このように、再生チャンネル数に応じて、使用する再生チャンネルに対応するスピーカのスピーカアンプのみを動作させるように制御したり、使用する再生チャンネルに対応するスピーカのスピーカアンプのみから音声信号を出力するようにすることによって、音声データが２チャンネルステレオの場合であっても、ノイズのない良好な再生音場（再生環境）を実現するようにしている。
【０１１１】
次に、ステップＳ２０６において、インターフェースコントロール部１１６により、音声信号処理部１０９を制御することにより実現される低音域強調処理について説明する。図６は、再生しようとする音声データが５．１チャンネルマルチサラウンドの場合に、音声信号処理部１０９において行う音声信号の低音域強調処理を説明するための図である。
【０１１２】
すなわち、再生しようとする音声データが５．１チャンネルマルチサラウンドの場合には、インターフェースコントロール部１１６は、音声信号処理部１０９を制御して、例えば、図６に示すように、５つのサテライトスピーカ２０Ｌ、２０Ｃ、２０Ｒ、２０ＬＳ、２０ＲＳに対応する再生チャンネルＬ、Ｃ、Ｒ、ＬＳ、ＲＳごとに、ハイパスフィルタ（図６においては、ＨＰＦと記載）９１、９２、９３、９４、９５を設けるようにするとともに、再生チャンネルＬ、Ｃ、Ｒ、ＬＳ、ＲＳの音声データを加算する加算回路９６と、この加算回路９６からの出力音声データの供給を受けるローパスフィルタ（図６においては、ＬＰＦと記載）９７、および、利得調整回路９８を設けるようにする。
【０１１３】
ＨＰＦ９１、９２、９３、９４、９５においては、これに供給された音声データの低音成分を減衰させることによって、対応するサテライトスピーカ（サブウーハー以外のスピーカ）に供給する音声データを形成する。また、加算回路９６により加算処理されて形成された音声データを、ＬＰＦ９７に供給することにより高域成分を減衰させる。この高域成分を減衰させた音声データを利得調整回路９８に供給することによって、高域成分が減衰するようにされた音声データの信号レベルを大きくし、低音域を強調するサブウーハー２０ＬＦＥに供給する音声データを形成する。
【０１１４】
このように、インターフェースコントロール部１１６により制御される音声信号処理部１０９の機能によって、低音域を強調した臨場感のある再生音声を再生する音声データの形成を可能にしている。なお、再生チャンネル数が２チャンネルステレオの場合には、例えば、左右のフロントスピーカに供給する音声データの高音成分をローパスフィルタによって減衰させることにより、低音域を強調することができる。すなわち、低音域成分の利得を大きくし、低音を強調する処理がこのステップＳ２０６の処理である。
【０１１５】
次に、ステップＳ２０７において、インターフェースコントロール部１１６により、音声ボリューム１１１を制御することにより実現される音声レベルアップについて説明する。前述もしたように、映画音声は、音楽音声に比べると、平均音声レベルが比較的に低く押さえられているので、ステップＳ２０７においては、音声データの信号レベルを大きくするように、音声ボリューム１１１の調整が行われる。
【０１１６】
これにより、再生する映画の音声データの信号レベルを予め決められたレベルにまで上げ、この再生装置１０により再生される種々の音声データの信号レベルを常にほぼ一定となるようにする。なお、音声データの信号レベルの調整は、前述した音声信号処理部１０９において、デジタル信号処理として行うことも可能である。しかし、音声ボリューム１１１において行うようにすることにより、音声データのいわゆるビット落ちを防止し、再生音声の劣化を防止することができる。
【０１１７】
このように、再生しようとする音声データが映画音声であると推測された場合には、使用者の手を煩わせることなく、映画音声を最も良好に再生するように、スピーカアンプ部１１２、音声信号処理部１０９、音声ボリューム１１１の調整を行うようにしている。したがって、映画音声の音声データを再生する場合に、低音が強調されて、臨場感のある映画音声を再生させることができる状態に再生装置１０を自動調整することができる。
【０１１８】
一方、図４に示すフローチャートのステップＳ２０２の判断処理において、再生しようとする音声データの符号化方式が、ＡＣ−３またはＤＴＳ方式ではないと判別したときには、この実施の形態の再生装置１０のシステムコントロール部１１４は、再生使用としている音声データは、音楽音声であると推測する（ステップＳ２０８）。
【０１１９】
そして、システムコントロール部１１４は、前述したステップＳ２０４の処理と同様に、音声データの再生チャンネル数を判別する（ステップＳ２０９）。そして、前述したステップＳ２０５の処理と同様に、インターフェースコントロール部１１６により、スピーカアンプ部１１２の電源スイッチＳ１Ｌ、Ｓ１Ｃ、Ｓ１Ｒ、Ｓ１ＬＳ、Ｓ１ＲＳ、Ｓ１ＬＦＥと、ミュートスイッチＳ２Ｌ、Ｓ２Ｃ、Ｓ２Ｒ、Ｓ２ＬＳ、Ｓ２ＲＳ、Ｓ２ＬＦＥとの一方、あるいは、両方を制御することにより、再生チャンネル数に応じたスピーカアンプに対する制御を行う（ステップＳ２１０）。
【０１２０】
次に、インターフェースコントロール部１１６の制御により、映画音声の再生時の場合とは異なり、音楽音声の低音域が強調されないように、音声信号処理部１０９に対する調整を行う（ステップＳ２１１）。このステップＳ２１１において行われる調整処理は、図６を用いて前述したように、低音を強調する処理を行わないようにしたり、あるいは、図６を用いて前述した処理とは逆に、低音成分を減衰させ、高音成分を強調するように音声信号処理部１０９の機能を調整する処理である。
【０１２１】
このステップＳ２１１の処理の後、前述もしたように、音楽音声の場合には、平均信号レベルが比較的に高く作成されているので、音声信号の信号レベルを低くするように、音声ボリューム１１１を調整する（ステップＳ２１２）。
【０１２２】
このように、再生しようとする音声データが音楽音声であると推測された場合には、使用者の手を煩わせることなく、音楽音声を最も良好に再生するように、スピーカアンプ部１１２、音声信号処理部１０９、音声ボリューム１１１の調整を行うようにしている。したがって、音楽音声の音声データを再生する場合に、低音が強調され過ぎず、かつ、適度な音量レベルで音楽音声を再生させることができる状態に再生装置１０を自動調整することができる。
【０１２３】
したがって、再生しようとしている音声データが記録された記録媒体が、ＤＶＤの場合、そのＤＶＤに記録された音声データが、映画音声であっても、音楽音声であっても、使用者の手を煩わせることなく良好に音声データを再生できるように再生装置１０を自動調整することができる。
【０１２４】
［ＣＤの場合の出力制御処理について］
図７は、図３に示したフローチャートにおいて、ステップＳ１０５において実行される処理である。すなわち、システムコントロール部１１４は、再生しようとしている音声データが記録されている記録媒体がＣＤであると判別した場合に、この図７に示す処理を実行する。
【０１２５】
そして、まず、システムコントロール部１１４は、前述したように、ＲＦ信号処理回路１０６からの情報、および、映像・音声デコード部１０７からのデコード情報に基づいて、再生しようとしている音声データの信号形式を判別する（ステップＳ３０１）。このステップＳ３０１の処理においては、再生しようとしている音声データの符号化方式、サンプリング周波数を判別する。
【０１２６】
そして、システムコントロール部１１４は、ステップＳ３０１の判断処理に基づいて、再生しようとしている音声データの符号化形式が、ＤＴＳ方式か否かを判断する（ステップＳ３０２）。ステップＳ３０２の判断処理において、再生しようとしている音声データの符号化形式が、ＤＴＳ方式であると判別した場合には、システムコントロール部１１４は、再生しようとしている音声データは、音楽音声であると推測する（ステップＳ３０３）。
【０１２７】
すなわち、ＣＤにより提供されるデジタルコンテンツのうち、音声データの符号化方式が、ＤＴＳ方式である場合には、そのデジタルコンテンツは、会話や落語などといったいわゆる話音声であることはほとんどなく、例えば、コンサートをライブ録音して制作した音楽音声などであることが多い。
【０１２８】
この経験的な事実に基づいて、記録媒体がＣＤであり、そのＣＤに記録されている音声データの符号化方式が、ＤＴＳ方式である場合には、この実施の形態の再生装置１０は、そのＣＤに記録されている音声データは、音楽音声であると推測する。
【０１２９】
そして、音声データの符号化方式がＤＴＳ方式の場合には、この実施の形態においては、６つのスピーカのすべてを使用するこのため、システムコントロール部１１４からの指示情報の供給を受けたインターフェースコントロール部１１６が、図５に示したように、各スピーカに対して設けられたスピーカアンプ１１２Ｌ、１１２Ｃ、１１２Ｒ、１１２ＬＳ、１１２ＲＳ、１１２ＬＦＥの各電源スイッチをオン状態にして電源を供給するようにする。また、各ミュートスイッチをオフ状態にして音声をミュートしないようにする（ステップＳ３０４）。
【０１３０】
そして、インターフェースコントロール部１１６の制御により、映画音声再生時のように、低音域が強調され過ぎないように、音声信号処理部１０９に対する調整を行う（ステップＳ３０５）。この後、インターフェースコントロール部１１６は、平均音声レベルが比較的に高く作成されている音楽音声の信号レベルを調整し、音声データの信号レベルが予め決められたレベルとなるように、音声ボリューム１１１を調整する（ステップＳ３０６）。そして、この図７に示す処理を終了する。
【０１３１】
このように、再生しようとする音声データがＤＴＳ方式の音楽音声であると推測した場合には、使用者の手を煩わせることなく、ＤＴＳ方式の音楽音声を最も良好に再生するように、スピーカアンプ部１１２、音声信号処理部１０９、音声ボリューム１１１の調整を行うようにしている。したがって、ＣＤに記録されたＤＴＳ方式の音楽音声の音声データを再生する場合に、低音が強調され過ぎず、かつ、適度な音量レベルで音楽音声を再生させることができる状態に再生装置１０を自動調整することができる。
【０１３２】
また、ステップＳ３０２の判断処理において、再生しようとしている音声データの符号化方式が、ＤＴＳ方式でないと判断した場合には、システムコントロール部１１４は、再生しようとしている音声データは、ＬＰＣＭ方式で符号化されたものと判断し、ステップＳ３０１の判別結果に基づいて、符号化時のサンプリング周波数は、所定値以上か否かを判断する（ステップＳ３０７）。
【０１３３】
このステップＳ３０７の判断処理は、できるだけ原音に近い再生音声を得るために、比較的に高いサンプリング周波数でＬＰＣＭ符号化された音楽情報か、比較的に低いサンプリング周波数であっても、再生音声の劣化の少ない会話などの話音声かを判別するための処理である。
【０１３４】
ステップＳ３０７の判断処理において、サンプリング周波数が所定値以上であると判断したときには、システムコントロール部１１４は、再生しようとしている音声データは、原音に忠実な再生が要求される音楽音声であると推測する（ステップＳ３０８）。
【０１３５】
そして、システムコントロール部１１４は、ステップＳ３０１の判別結果に基づいて、再生しようとしている音声データの再生チャンネル数を判別し（ステップＳ３０９）、前述した図４のステップＳ２０５、２１０の処理と同様に、再生チャンネル数に応じて、使用するスピーカに対応するスピーカアンプだけを動作状態にしたり、使用しないスピーカに対応したスピーカアンプからの音声信号をミュートするようにするなど、電源スイッチ、ミュートスイッチの切り換えを行う（ステップＳ３１０）。
【０１３６】
そして、前述したステップＳ３０５、ステップＳ３０６の処理と同様に、インターフェースコントロール部１１６の制御により、低音域が強調され過ぎないように、音声信号処理部１０９に対する調整を行う（ステップＳ３１１）。また、インターフェースコントロール部１１６は、平均音声レベルが比較的に高く作成されている音楽音声の信号レベルを調整し、音声データの信号レベルが予め決められたレベルとなるように、音声ボリューム１１１を調整する（ステップＳ３１２）。そして、この図７に示す処理を終了する。
【０１３７】
このように、再生しようとする音声データがＤＴＳ方式以外の音楽音声であると推測された場合であっても、使用者の手を煩わせることなく、音楽音声を最も良好に再生するように、スピーカアンプ部１１２、音声信号処理部１０９、音声ボリューム１１１の調整を行うようにしている。すなわち、低音が強調され過ぎず、かつ、適度な音量レベルで音楽音声を再生させることができる状態に再生装置１０を自動調整することができる。
【０１３８】
また、ステップＳ３０７の判断処理において、サンプリング周波数が所定値より低い判断したときには、システムコントロール部１１４は、再生しようとしている音声データは、サンプリング周波数が比較的に低くても、再生音声の劣化が少ない話音声であると推測する（ステップＳ３１３）。
【０１３９】
そして、この場合には、システムコントロール部１１４からの話音声であるとの推測に応じて、インターフェースコントロール部１１６の制御により、会話の場合の音声帯域の信号レベルを上げるように、音声信号処理部１０９に対する調整を行う（ステップＳ３１４）。
【０１４０】
このように、再生しようとする音声データが話音声であると推測された場合であっても、使用者の手を煩わせることなく、話音声を最も良好に再生するように、スピーカアンプ部１１２、音声信号処理部１０９、音声ボリューム１１１の調整することができる。
【０１４１】
したがって、再生しようとしている音声データが記録された記録媒体が、ＣＤの場合、そのＣＤに記録された音声データが、音楽音声であっても、また、話音声であっても、使用者の手を煩わせることなく良好に音声データを再生できるように再生装置１０を自動調整することができる。
【０１４２】
［外部半導体メモリの場合の出力制御処理について］
また、図３に示したフローチャートにおいて、再生しようとしている音声データが記録されている記録媒体が、ＤＶＤでもＣＤでもないと判断した場合には、この実施の形態の再生装置１０のシステムコントロール部１１４は、再生しようとしている音声データが記録されている記録媒体は、メモリスロット１１９に装填された外部半導体メモリであると判断する。
【０１４３】
そして、この実施の形態の再生装置１０においては、外部半導体メモリに記録された音声データは、そのほとんどが会話などの話音声であると推測し、図３に示したステップＳ１０６においては、図７に示したステップＳ３１４と同様に、会話音声を良好に再生するための調整処理が行われる。
【０１４４】
そして、使用者が再生装置１０に装填した光ディスク１００や外部半導体メモリ１２０からの音声データや映像データの再生を指示したときには、前述したように、音声信号処理部１０９に対する調整、音声ボリューム１１１に対する調整、スピーカアンプ１１２に対する調整が行われて、再生する音声データに最も適した状態で再生処理が行われる。
【０１４５】
これにより、記録媒体や信号形式が異なる音声データを再生するようにしても、いつでも再生する音声データに応じた再生処理を行うことができるので、使用者は、再生音声についての手動調整を行うことなく、いつでも良好な再生音声を聴取することができる。
【０１４６】
また、この実施の形態の再生装置１０を用いたて形成したホームシアターシステムのように、５つのサテライトスピーカ（サテライトチャネル）と、１つの低音専用スピーカ（低音専用チャネル）からなるシステムにおいて、２チャネルステレオの音声データを再生する場合には、音声データが供給されないチャネルをミュートしたり、そのチャネルの動作を停止させることにより、再生音場のＳ／Ｎを改善することができる。これは、通常、リアスピーカチャネルのＳ／Ｎを改善することになり、より聴取者に近いスピーカのノイズレベルを低減することができるので、実使用上でのノイズの低減効果が大きい。
【０１４７】
そして、前述したように、この実施の形態の再生装置１０においては、ＲＦ信号処理部１０６、映像・音声デコード部１１７、システムコントロール部１１４が協働して、再生装置１０に装填された光ディスクの媒体種別および音声データの信号形式を検出するようにしている。
【０１４８】
また、外部半導体メモリからのデータの再生も可能であり、この場合には、インターフェースコントロール部の機能により、再生しようとしている音声データの記録媒体、外部半導体メモリであることを検出し、システムコントロール部１１４に通知している。
【０１４９】
そして、検出したあるいは通知された媒体種別や音声データの信号形式に基づいて、システムコントロール部１１４が、再生しようとしている音声データの種類を推測し、この推測結果に基づいて、インターフェースコントロール部１１６が、音声信号処理部１０９、音声ボリューム１１１、スピーカアンプ１１２を制御することによって、再生する音声データに適した出力制御を行うようにしている。
【０１５０】
このように、ＲＦ信号処理部１０６、映像・音声デコード部１１７、システムコントロール部１１４、インターフェースコントロール部１１６が、媒体種別検出手段や信号形式検出手段としての機能を有している。また、システムコントロール部１１４は、再生しようとする音声データの種類を推測する推測手段としての機能を有している。また、システムコントロール部１１４と、インターフェースコントロール部１１６とが、再生しようとする音声データに応じた出力制御を行う出力制御手段としての機能を有している。
【０１５１】
したがって、再生装置１０に、特に大規模名回路を搭載することなく、音声データの種類に応じた音声データの出力制御を行うことによって、音声データの信号処理方法を最適化し、最適な再生音場の形成が可能な再生装置を実現することができる。
【０１５２】
なお、音声信号処理部１０９において行われる音声データの高音域成分、低音域成分の減衰は、再生装置１０の使用者の好みと、音声データの種類とに応じて、どのような音声データのときには、どのくらいの高音域、あるいは、低音域の成分を減衰させるかを予め設定しておくこともできる。
【０１５３】
同様に、音声ボリューム１１１において行われる音声データのレベルの調整についても、再生装置１０の使用者の好みと、音声データの種類とに応じて、どの種類の音声データのときには、どのくらいレベルを上げるか、あるいは、下げるかを予め設定しておくこともできる。
【０１５４】
このような調整パラメータは、キー操作部１１７を通じて再生装置１０が受け付け、例えば、インターフェースコントロール部１１６のＥＥＰＲＯＭに記憶保持する。そして、図３、図４、図７を用いて説明したように、実際に調整を行う場合に、ＥＥＰＲＯＭに記憶保持されているパラメータに応じて行うようにすることができる。
【０１５５】
このように、この再生装置１０は、使用者の指示および音声データの種類に応じて、音声データの出力制御を行ういわゆるカスタムモードを備えている。また、この実施の形態の再生装置１０の使用者がカスタムモードを使用しない場合であっても、この実施の形態の再生装置１０は、製造時などにおいて、予め設定されたパラメータを用いて、音声データの種類に応じた音声データの出力制御を行うことができるようにされている。
【０１５６】
［外部機器の電源制御］
また、この実施の形態の再生装置１０は、前述したように、光ディスクや外部半導体メモリに記録されている情報に基づいて、それらに記録されているデータは、音声データのみか、映像データと音声データが記録されたものかを判別することができる。
【０１５７】
そこで、映像データを含むコンテンツの再生か否かを判別し、映像データの再生を伴う場合であって、映像出力装置３０の電源が投入されていない場合には、この再生装置１０から映像出力装置３０に制御信号を送信し、電源を投入するように制御する。また、映像データの再生を伴わない場合であって、すでに映像出力装置３０の電源が投入されている場合には、この再生装置１０から映像出力装置３０に制御信号を送信し、電源を落とすように制御する。
【０１５８】
このような制御は、再生装置１０と映像出力装置３０とをＩＥＥＥ１３９４規格のデジタルインターフェースなどを用いて接続するようにする。そして、このデジタルインターフェースを通じて、再生装置１０から映像出力装置３０に、映像データだけでなく、電源のオン／オフを制御する制御情報をも送信するようにすればよい。
【０１５９】
したがって、再生装置１０と映像出力装置３０とに、デジタルインターフェースを設け、再生装置１０の例えばインターフェースコントロール部１１６により形成する電源オン／オフを制御するための制御信号を送信するようにする。このため、再生装置１０側に映像用Ｄ／Ａ変換回路を設ける変わりに、映像出力装置３０側に映像用Ｄ／Ａ変換回路を設けるとともに、再生装置１０からの制御信号に応じて、電源のオン／オフを制御するコントロール部を設けることになる。
【０１６０】
なお、この場合に、映像出力装置３０が電源が投入された状態か、電源が投入されていない状態かの判別は、再生装置１０と映像出力装置３０との間で、デジタルインターフェースを通じて確認するようにすればよい。また、再生装置１０が映像出力装置３０の電源を投入下か否かを自己のメモリで管理するようにし、このメモリの情報に応じて、映像出力装置の電源のオン／オフの制御を行う事もできる。
【０１６１】
このように、記録媒体に記録されている情報を元に、再生しようとする音声信号の種類を判別し、最適な再生音場を自動的に形成することができるとともに、スピーカアンプや映像出力装置の電源のオン／オフ制御をも行うことができる。また、記録媒体から得られる情報に基づいて、音声データの出力制御（信号処理方法）を最適化し、また、電源制御を行うので、再生装置１０に特別な回路を設ける必要もない。
【０１６２】
なお、前述の実施の形態において、記録媒体がＤＶＤであると判別された場合には、再生しようとしている音声データが、映画音声か、音楽音声を判別するようにしたが、これに限るものではない。落語や講演などの話音声のみの音声データが記録されたＤＶＤ−Ａｕｄｉｏが比較的に多く提供されるようになった場合には、図７に示した記録媒体がＣＤであると判別された場合の処理と同様に、話音声と判別した場合の処理を追加することもできる。
【０１６３】
また、前述の実施の形態においては、再生装置１０は、ＣＤ−ＤＡと、ＤＶＤ−Ｖｉｄｅｏと、ＤＶＤ−Ａｕｄｉｏの３種類の光ディスクの再生が可能なものであるものとして説明した。しかし、これに限るものではない。ＣＤと呼ばれる記録媒体の中には、Ｖｉｄｅｏ−ＣＤ、ＣＤ−Ｇなどの映像データが記録されたものも提供されているし、ＳＡ−ＣＤ（Ｓｕｐｅｒ  Ａｕｄｉｏ  ＣＤ）などの新たな音楽ＣＤも提供されるようになってきている。また、光ディスクとしては、ＬＤ（レーザディスク）と呼ばれる大型の光ディスクも存在する。
【０１６４】
このように、ＣＤ−ＤＡ、ＤＶＤ−Ｖｉｄｅｏ、ＤＶＤ−Ａｕｄｉｏばかりでなく、他の光ディスクの再生を可能にした再生装置を構成した場合であっても、それぞれの記録媒体の種別や、その記録媒体に記録された音声データや映像データの信号形式などの情報に基づいて、再生しようとする音声データの種類を特定し、その音声データに応じた出力制御を行うことができる。
【０１６５】
また、光ディスクの再生装置に衛生放送などのデジタルテレビ放送や、デジタル音声放送の受信機能などを搭載した場合には、デジタル信号の供給経路の違いや、受信したデータの信号形式に基づいて、最適な信号処理を行って、最適な再生音場を形成するようにすることができる。
【０１６６】
すなわち、音声データを提供する音声メディアとして、ＣＤ−ＤＡやＳＡ−ＣＤなどの再生が可能であり、音声データと映像データとを提供するメディアとして、ＤＶＤ−Ｖｉｄｅｏ、Ｖｉｄｅｏ−ＣＤ、ＣＤ−Ｇなどの各種の光ディスクの再生が可能な再生装置にもこの発明を適用することができる。
【０１６７】
また、前述の実施の形態においては、ＣＤやＤＶＤの再生が可能ないわゆるマルチコンバーチブルプレーヤに適用した場合を例にして説明したが、これに限るものではない。ＣＤプレーヤやＤＶＤプレーヤなど、単一の記録媒体の再生装置や記録再生装置にこの発明を適用することができる。すなわち、単一の記録媒体の再生装置や記録再生装置の場合には、再生しようとする音声データの種類に応じて、音声データの出力制御を行って、最適な信号処理を行い、最適な再生音場を形成することができる。
【０１６８】
また、前述の実施の形態においては、音楽音声、映画音声、話音声を推測する場合を例にして説明したが、これに限るものではない。例えば、記録媒体に記録されている情報に基づいて、例えば、音楽音声であっても、ポップス音楽なのか、クラシック音楽なのかを判別し、それに応じた出力制御を行うようにすることもできる。
【０１６９】
また、再生装置が使用される国においての記録媒体により提供されるデジタルコンテンツの提供状況に応じて、音声データの出力制御を行うようにすることもできる。すなわち、音声データの種類の推測結果に応じて音声データの出力制御を行うための各種のパラメータを再生装置に用意し、当該再生装置が利用される国などに応じて使用するパラメータを変えるようにすることもできる。
【０１７０】
【発明の効果】
以上説明したように、この発明によれば、再生装置の使用者が信号形式のことなる音声データを再生する場合であっても、ことなる記録媒体に記録された音声データを再生する場合であっても、それらの音声データの特性の違いを意識することなく、自動的に最適な再生音場を形成することができる。したがって、再生音声についての調整作業を少なくし、煩わしさのない、非常に使いやすい再生装置を実現することができる。
【０１７１】
また、音楽音声や映画音声などのように、再生しようとする音声データの種類に応じて、その音声データにあった最適な音づくりができるために、より魅力のある音づくりができる。
【０１７２】
また、ホームシアターシステムのように、５つのサテライトスピーカ（サテライトチャネル）と、１つの低音専用スピーカ（低音専用チャネル）からなるシステムにおいて、２チャネルステレオの音声データを再生する場合には、音声データが供給されないチャネルをミュートしたり、そのチャネルの動作を停止させることにより、再生音場のＳ／Ｎを大きく改善することができる。
【０１７３】
また、スピーカアンプや映像出力装置の電源のオン／オフ制御を自動的に行うことができるので、使いやすいシステムを形成することができる。
【図面の簡単な説明】
【図１】この発明による情報信号再生装置の一実施の形態が適用された映像音声再生装置を説明するためのブロック図である。
【図２】図１に示した映像音声再生装置を用いて形成されるホームシアターの構成例を説明するための図である。
【図３】図１に示した映像音声再生装置において行われる音声データの出力制御について説明するための図である。
【図４】図１に示した映像音声再生装置において、装填された記録媒体がＤＶＤであると判別した場合に行われる音声データの出力制御について説明するためのフローチャートである。
【図５】図１に示した映像音声再生装置の音声信号処理部において行われる音声データの信号処理について説明するための図である。
【図６】図１に示した映像音声再生装置のスピーカアンプについての電源制御およびミュート制御について説明するための図である。
【図７】図１に示した映像音声再生装置において、装填された記録媒体がＣＤであると判別した場合に行われる音声データの出力制御について説明するためのフローチャートである。
【符号の説明】
１００…光ディスク、１０１…スピンドルモータ、１０２…光ピックアップ部、１０３…スレッドモータ、１０４…モータドライバ、１０５…ＲＦＥＱアンプ、１０６…ＲＦ信号処理回路、１０７…映像・音声デコード部、１０８…Ｄ−ＲＡＭ、１０９…音声信号処理部、１１０…音声用Ｄ／Ａ変換回路、１１１…音声ボリューム、１１２…スピーカアンプ、１１３…映像用Ｄ／Ａ変換回路、１１４…システムコントロール部、１１５…サーボ回路、１１６…インターフェースコントロール部、１１７…操作キー部、１１８…動作表示部、１１９…メモリスロット、１２０…外部半導体メモリ、２０…スピーカ、３０…映像出力装置
【図１】
0004712934.tif 000002
【図２】
0004712934.tif 000003
【図３】
0004712934.tif 000004
【図４】
0004712934.tif 000005
【図５】
0004712934.tif 000006
【図６】
0004712934.tif 000007
【図７】
0004712934.tif 000008